(57)【要約】【課題】ヘッド保持部材のヘッド配置部とヘッドユニットの着座部との間の液体の浸入を防止することが可能な液体噴射ヘッド、及び、これを備えた液体噴射装置を提供する。【解決手段】ヘッド配置部３４の挿通開口部３７を囲繞する第１リブ（ヘッド側内周リブ２７、キャリッジ側内周リブ４０）を、着座部とヘッド配置部の少なくとも一方に突設し、第１リブよりも挿通開口部に対して離れて位置する第２リブ（ヘッド側外周リブ２８）を、着座部とヘッド配置部の少なくとも一方に突設し、ヘッド本体部を挿通開口部に挿通し、着座部とヘッド配置部との間にシール部材３０を介在させると共に第１リブ及び第２リブをシール部材に圧接させた状態で着座部をヘッド配置部に着座させてヘッドユニット２をキャリッジ３に取り付けた。【選択図】図１４
2009190246.tif 000002
【特許請求の範囲】
【請求項１】
液体を噴射するヘッドユニットと、
前記ヘッドユニットを配置するヘッド配置部を有するヘッド保持部材と、
を備える液体噴射ヘッドであって、
前記ヘッドユニットは、前記ヘッド保持部材の外側に露出して先端面にノズル開口を開設したヘッド本体部と、該ヘッド本体部の基端側に設けられ前記ヘッド配置部に着座する着座部とを有し、
前記ヘッド保持部材のヘッド配置部は、前記ヘッドユニットのヘッド本体部が挿通される挿通開口部を開設し、当該挿通開口部の周囲にシール部材を敷設し、
前記挿通開口部を囲繞する第１リブを、前記着座部と前記ヘッド配置部の少なくとも一方に突設し、
前記第１リブよりも前記挿通開口部に対して離れて位置する第２リブを、前記着座部と前記ヘッド配置部の少なくとも一方に突設し、
前記ヘッド本体部を前記挿通開口部に挿通し、前記着座部と前記ヘッド配置部との間に前記シール部材を介在させると共に前記第１リブ及び第２リブを前記シール部材に圧接させた状態で前記着座部を前記ヘッド配置部に着座させて前記ヘッドユニットを前記ヘッド保持部材に取り付けたことを特徴とする液体噴射ヘッド。
【請求項２】
前記着座部側の第１リブと前記ヘッド配置部側の第１リブとを対向させて配置し、
両第１リブにより前記シール部材を挟持させたことを特徴とする請求項１に記載の液体噴射ヘッド。
【請求項３】
前記着座部側の第２リブと前記ヘッド配置部側の第２リブとを対向させて配置し、
両第２リブにより前記シール部材を挟持させたことを特徴とする請求項１又は請求項２に記載の液体噴射ヘッド。
【請求項４】
前記第１リブ及び第２リブを、基端側から先端に向けて細くしたことを特徴とする請求項１から請求項３の何れか一項に記載の液体噴射ヘッド。
【請求項５】
前記第１リブと第２リブとの間の領域に、電子部品を配置したことを特徴とする請求項１から請求項４の何れか一項に記載の液体噴射ヘッド。
【請求項６】
請求項１から請求項５の何れか一項に記載の液体噴射ヘッドを備えたことを特徴とする液体噴射装置。
【発明の詳細な説明】
【技術分野】
【０００１】
本発明は、例えば、インクジェット式記録ヘッドなどの液体噴射ヘッド、及び、液体噴射装置に関し、特に、液体を噴射するヘッドユニットと、ヘッドユニットを配置するヘッド配置部を有するヘッド保持部材とを備えた液体噴射ヘッド、及び、液体噴射装置に関する。
【背景技術】
【０００２】
液体噴射装置は液体を噴射可能な液体噴射ヘッドを備え、この液体噴射ヘッドから各種の液体を噴射（吐出）する装置である。この液体噴射装置の代表的なものとして、例えば、記録紙等の記録媒体（噴射対象物）に対してインクを噴射・着弾させて記録を行うインクジェット式プリンタ等の画像記録装置を挙げることができる。また、近年においては、この画像記録装置に限らず、ディスプレー製造装置などの各種の製造装置にも応用されている。
【０００３】
この種の液体噴射装置では、リザーバ（液室）から圧力発生室を経てノズル開口に至る一連の液体流路や圧力発生室の容積を変動可能な圧電振動子等の圧力発生手段等を備えたヘッドユニットをヘッド保持部材であるキャリッジに搭載し、このキャリッジを移動させながら液体噴射ヘッドから液体を噴射するように構成されている。キャリッジの内部には、ヘッドユニットを収容する収容空部が形成されており、この収容空部の底板がヘッドユニットを載置するヘッド配置部として機能する。このヘッド配置部には挿通開口部が開設されている。そして、キャリッジは、挿通開口部にヘッド本体部を挿通してキャリッジ外側に突出させ、ヘッドユニットのフランジ部（着座部）をヘッド配置部に着座させて収容空部内にヘッドユニットを収容・保持する。
【０００４】
ヘッドユニットには、圧力発生手段を駆動するための駆動信号を中継する回路基板が取り付けられている。そして、この回路基板には、例えばＦＦＣ（フレキシブルフラットケーブル）等の配線用ケーブルを接続するコネクタが設けられており、このコネクタに接続された配線用ケーブルを通じて装置本体側からの駆動信号が回路基板に供給されるようになっている（例えば、特許文献１参照）。
【０００５】
【特許文献１】特開２００４−３２２４１７号公報
【発明の開示】
【発明が解決しようとする課題】
【０００６】
ところで、上記構成の液体噴射ヘッドでは、キャリッジのヘッド配置部とヘッドユニットのフランジ部との間の隙間にインクが浸入する虞がある。例えば、ヘッドユニットのノズル面に付着したインクがヘッドユニットの壁面等を伝って挿通開口部を通じてキャリッジの収容空部内に入り込み、ヘッド配置部とフランジ部との間の隙間に浸入することがある。また、ノズル開口から噴射されたインクが噴射対象物に着弾せずにミスト化して空気中を漂い、収容空部の上部開口から収容空部内に入り込みヘッド配置部とフランジ部との間の隙間に入り込むこともある。さらに、記録ヘッドに対してインクカートリッジやインク供給チューブなどのインク供給源を着脱する際に漏洩したインクが、ヘッド配置部とフランジ部との間の隙間に浸入することも考えられる。
【０００７】
そして、この種の液体噴射ヘッドでは、上記回路基板とコネクタの導通部分がフランジ部の近傍に露出している構造のものがあり（上記特許文献１の図２（ｂ）参照）、この構造においてヘッド配置部とフランジ部との間の隙間にインクが浸入した場合、このインクが導通部分に接触してショートする危険性がある。
【０００８】
本発明は、このような事情に鑑みてなされたものであり、その目的は、ヘッド保持部材のヘッド配置部とヘッドユニットの着座部との間の液体の浸入を防止することが可能な液体噴射ヘッド、及び、これを備えた液体噴射装置を提供することにある。
【課題を解決するための手段】
【０００９】
本発明の液体噴射ヘッドは、上記目的を達成するために提案されたものであり、液体を噴射するヘッドユニットと、
前記ヘッドユニットを配置するヘッド配置部を有するヘッド保持部材と、
を備える液体噴射ヘッドであって、
前記ヘッドユニットは、前記ヘッド保持部材の外側に露出して先端面にノズル開口を開設したヘッド本体部と、該ヘッド本体部の基端側に設けられ前記ヘッド配置部に着座する着座部とを有し、
前記ヘッド保持部材のヘッド配置部は、前記ヘッドユニットのヘッド本体部が挿通される挿通開口部を開設し、当該挿通開口部の周囲にシール部材を敷設し、
前記挿通開口部を囲繞する第１リブを、前記着座部と前記ヘッド配置部の少なくとも一方に突設し、
前記第１リブよりも前記挿通開口部に対して離れて位置する第２リブを、前記着座部と前記ヘッド配置部の少なくとも一方に突設し、
前記ヘッド本体部を前記挿通開口部に挿通し、前記着座部と前記ヘッド配置部との間に前記シール部材を介在させると共に前記第１リブ及び第２リブを前記シール部材に圧接させた状態で前記着座部を前記ヘッド配置部に着座させて前記ヘッドユニットを前記ヘッド保持部材に取り付けたことを特徴とする。
【００１０】
この構成によれば、挿通開口部を囲繞する第１リブを、着座部とヘッド配置部の少なくとも一方に突設し、第１リブよりも挿通開口部から離れて位置する第２リブを、着座部とヘッド配置部の少なくとも一方に突設し、ヘッド本体部を挿通開口部に挿通し、着座部とヘッド配置部との間にシール部材を介在させると共に第１リブ及び第２リブをシール部材に圧接させた状態で着座部をヘッド配置部に着座させてヘッドユニットをヘッド保持部材に取り付けたので、ヘッド保持部材のヘッド配置部とヘッドユニットの着座部との間に液体が浸入することを防止することができる。
【００１１】
上記構成において、前記着座部側の第１リブと前記ヘッド配置部側の第１リブとを対向させて配置し、
両第１リブにより前記シール部材を挟持させる構成を採用することが望ましい。
また、前記着座部側の第２リブと前記ヘッド配置部側の第２リブとを対向させて配置し、
両第２リブにより前記シール部材を挟持させる構成を採用することが望ましい。
【００１２】
これらの構成によれば、対向配置されたリブ同士でシール部材を挟み込むので、この部分におけるシール部材に対する当接圧を大きくすることができ、その結果、着座部とヘッド配置部との間のシール性をより確実にすることができる。
【００１３】
上記構成において、前記第１リブ及び第２リブを、基端側から先端に向けて細くする構成を採用することが望ましい。
【００１４】
上記構成によれば、リブの先端を細くすることにより、シール部材に対して応力を集中させることができ、シール効果を一層高めることができる。
【００１５】
また、上記構成において、前記第１リブと第２リブとの間の領域に、電子部品を配置する構成を採用することが望ましい。
【００１６】
この構成によれば、第１リブと第２リブとの間の領域に電子部品を配置したので、液体が電子部品に接触することに起因するショート等の不具合を未然に防止することができる。
【００１７】
そして、本発明の液体噴射装置は、上記各構成の液体噴射ヘッドを備えることを特徴とする。
【００１８】
この構成によれば、ヘッド保持部材のヘッド配置部とヘッドユニットの着座部との間に液体が浸入することを防止した液体噴射ヘッドを備えるので、液体が着座部とヘッド配置部との間に浸入することによる不具合を防止することができ、これにより、信頼性を向上することができる。
【発明を実施するための最良の形態】
【００１９】
以下、本発明を実施するための最良の形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下の説明は、本発明における液体噴射ヘッドとして、インクジェット式記録装置（本発明の液体噴射装置の一種。以下、プリンタという。）に搭載されるインクジェット式記録ヘッド（以下、単に記録ヘッドという。）を例に挙げて行う。
【００２０】
図１は記録ヘッド１の上面図、図２は記録ヘッド１の下面図である。また、図３は図２におけるＡ−Ａ断面図、図４は図２におけるＢ−Ｂ断面図、図５は図２におけるＣ−Ｃ断面図、図６は図２におけるＤ−Ｄ断面図である。
【００２１】
例示した記録ヘッド１は、インク（液体の一種）を噴射するヘッドユニット２と、このヘッドユニット２を保持するキャリッジ３（本発明におけるヘッド保持部材の一種）とにより概略構成されている。キャリッジ３の内部には、ヘッドユニット２を収容する収容空部４が形成されている。そして、この記録ヘッド１は、図示しないプリンタ本体内に設けられた案内軸に沿って往復移動可能にプリンタ本体に搭載される。
【００２２】
図７、図８、及び図９は、上記ヘッドユニット２の構成を説明する図であり、図７はヘッドユニット２の先端面（ノズル形成面）側から見た平面図、図８はヘッドユニット２の断面図、図９は図８における領域Ｂの拡大断面図である。
ヘッドユニット２は、ヘッドケース７に自己封止ユニット８、流路ユニット９、及びアクチュエータユニット１０を取り付けて構成されている。また、このヘッドユニット２は、自己封止ユニット８とヘッドケース７との間に配置される回路基板１２を備えている。
【００２３】
ヘッドケース７は、例えば合成樹脂により成型されており、内部にアクチュエータユニット１０を収容する収容部１３が内部に形成された箱体状のケース本体部１５と、このケース本体部１５の基端側（自己封止ユニット８側）から側方に延出するフランジ部１６とにより構成されている。自己封止ユニット８が配置される基端面（以下、上面）とは反対側のケース本体部１５の先端面（以下、下面）には流路ユニット９を接合し、収容部１３内にはアクチュエータユニット１０を収容し、フランジ部１６の上面には回路基板１２およびパッキン１４を間に介在させた状態で自己封止ユニット８が取り付けられるようになっている。収容部１３は、ヘッドケース７の上面から下面に渡って一連に形成された空部であり、アクチュエータユニット１０を個別に収容する。
【００２４】
ケース本体部１５の先端面に取り付けられる流路ユニット９は、振動板、流路形成基板（何れも図示せず）、及びノズル形成基板１８等の構成部材を積層してユニット化した部材であり、リザーバ（液室）から圧力発生室を通りノズル開口１９に至るまでの一連のインク流路（液体流路）を形成している。インク流路には、自己封止ユニット８からのインクが導入される。また、ケース本体部１５の下面には、ノズル形成基板１８のノズル形成面を露出した状態で流路ユニット９の周縁部を包囲するようにヘッドカバー２０が取り付けられている。このヘッドカバー２０は、例えば金属製の薄板部材によって作製されており、流路ユニット９を保護すると共にノズル形成基板１８をグランドに導通する。
【００２５】
上記アクチュエータユニット１０は、櫛歯状に列設された複数の圧電振動子を固定板に接合してユニット化したものである。そして、アクチュエータユニット１０は、収容部１３を区画するケース内壁面に接着することで収容部１３内に収容・固定されている。このアクチュエータユニット１０には、回路基板１２からＴＣＰ（テープ・キャリア・パッケージ）等のフィルム状の配線部材を通じて駆動信号が供給されるようになっている。
【００２６】
回路基板１２は、プリンタ本体側からの駆動信号を受け、この駆動信号を配線部材を通じてアクチュエータユニット１０の圧電振動子へ供給するための中継基板である。この回路基板１２は、プリンタ本体側との接続のためのコネクタ２２や、抵抗或いはコンデンサ等の電子部品を実装している。コネクタ２２にはＦＦＣ（フレキシブルフラットケーブル）が接続され、回路基板１２は、このＦＦＣを介してプリンタ本体側から駆動信号を受けるようになっている。そして、この回路基板１２は、ヘッドケース１０の収容部１３の上部開口を塞ぐように、フランジ部１６の上面に配置される。
【００２７】
回路基板１２と自己封止ユニット８との間に配置されるパッキン１４は、例えば、エラストマーやゴムなどの弾性材によって作製された板状体である。このパッキン１４は、図示しない連通口を有しており、ヘッドケース７の内部に形成されたケース流路（図示せず）と、自己封止ユニット８の内部に形成されたインク導入路（図示せず）とを液密状態で連通する。
【００２８】
自己封止ユニット８は、プリンタ本体側に配置されたインクカートリッジからのインクがインク供給チューブを通じて供給され、図１に示すように、この上面の一部分には、このインク供給チューブが接続される接続部２４が設けられている。そして、この自己封止ユニット８は、流路内の圧力変動に応じて弁を開閉する自己封止弁機構を備えており、この自己封止弁機構によってヘッドへのインクの供給状態と非供給状態を切り替えるようになっている。また、自己封止ユニット８には、図１及び図７に示すように、キャリッジ４にヘッドユニット２を固定するための止着ネジ等の止着部材（図示せず）が挿通される止着穴２６が合計４つ開設されている。各止着穴２６は、キャリッジ３の底板３１に合計４つ設けられた止着ボス３８にそれぞれ対応している。
【００２９】
そして、自己封止ユニット８の内部には、インク供給チューブから供給されるインクをヘッドケース７のケース流路側に導入するインク導入路が内部に形成されている。自己封止ユニット８は、平面視においてヘッドケース７のフランジ部１６よりも少し大きく形成されており、回路基板１２及びパッキン１４を覆い隠す状態でフランジ部１６の上面に配置され、図示しない止着部材によって固定される。
【００３０】
また、図８及び図９に示すように、この自己封止ユニット８は、その周縁部からフランジ部１６側に向けて、このフランジ部１６を囲繞する囲繞壁２５を延出している。この囲繞壁２５の先端面は、フランジ部１６の下面と揃えられている。そして、この囲繞壁２５の先端面とフランジ部１６の下面とは、キャリッジ３の収容空部４内にヘッドユニット２を収容した際にヘッド配置部３４に着座する着座部として機能する。そして、ヘッドユニット２において、着座部よりも下方（ノズル形成面側）の部分は本発明におけるヘッド本体部に相当する。
【００３１】
フランジ部１６の下面と囲繞壁２５の先端面には、それぞれ、ヘッド側内周リブ２７（本発明における第１リブの一種）とヘッド側外周リブ２８（本発明における第２リブの一種）が下方に向けて突設されている。図７に示すように、ヘッド側内周リブ２７は、ヘッド本体部１５側に位置し、このヘッド本体部１５の周囲を囲繞する無端状に形成された環状のリブである。このヘッド側内周リブ２７は、キャリッジ３のヘッド配置部３４の挿通開口部３７の周縁部形状に倣った形状を呈しており、ヘッド配置部３４側に形成されたキャリッジ側内周リブ４０に対応する位置に設けられている。一方、ヘッド側外周リブ２８は、ヘッドユニット２の着座部の外周縁部に沿って無端状に形成された環状のリブであり、ヘッド側内周リブ２７よりもヘッド本体部１５（或いはヘッド配置部３４の挿通開口部３７）に対して離れた位置に形成されている。これらのヘッド側内周リブ２７とヘッド側外周リブ２８は、ヘッドユニット２の着座部をキャリッジのヘッド配置部３４に着座させた際に、当該ヘッド配置部３４に敷設されたシール部材３０に圧接するようになっている。そして、図７に示すように、これらのヘッド側内周リブ２７とヘッド側外周リブ２８との間の領域に回路基板１２とコネクタ２２との導通部２９を配置している。
【００３２】
図１０〜図１３は、キャリッジ３の構成を説明する図であり、図１０はキャリッジ３の平面図、図１１は図１０におけるＡ−Ａ断面図、図１２は図１１における領域Ｃの拡大断面図である。また、図１３はキャリッジ３の内部を説明する斜視図であり、（ａ）はシール部材３０が取り付けられていない状態を示し、（ｂ）はシール部材３０が敷設された状態を示している。
本実施形態におけるキャリッジ３は、底板３１と、この底板３１の周縁から上方に立設されて底板３１の四方を囲む周壁３２とから構成された上面開放の箱状部材である。これらの底板３１と周壁３２とによって区画される空間がヘッドユニット２を収容する収容空部４として機能する。周壁３２のうちの１つは、上端部から側方に取付部３３を延出している。図３及び図４に示すように、この取付部３３の周壁３２とは反対側の端部には、プリンタ本体の案内軸が摺動可能に挿通される軸挿通部３５が設けられている。記録ヘッド１は、この軸挿通部３５に案内軸を挿通した状態でプリンタ本体に取り付けられる。また、取付部３３の下面には、周壁３２に隣接してフォトセンサ３６が設けられている。このフォトセンサ３６は、記録ヘッド１の往復走査における位置や速度を検出するために用いられる。
【００３３】
底板３１の上面（収容空部４側の面）は、ヘッド配置部３４として機能し、ヘッドユニット２が載置される部分である。この底板３１には、挿通開口部３７が開設されている。この挿通開口部３７は、ヘッドユニット２のケース本体部１５が挿通可能な大きさの貫通穴である。キャリッジ３の収容空部４内にヘッドユニット２を収容する際、この挿通開口部３７にヘッド本体部が挿入されてキャリッジ３の外側（下方）に露出するようになっている。この挿通開口部３７の周縁部には、この挿通開口部３７の外周に沿って無端状に形成されたキャリッジ側内周リブ４０（本発明における第１リブに相当）を突設している。このキャリッジ側内周リブ４０は、ヘッドユニット２の着座部側に形成されたヘッド側内周リブ２７に対応して設けられている。
【００３４】
また、底板３１の四隅には、ヘッドユニット２側の止着穴２６に対応して合計４つの止着ボス３８が突設されている。各止着ボス３８の内部には雌ネジ部が形成されている。さらに、図１３に示すように、ヘッド配置部３４における挿通開口部３７の周囲には、シール部材３０（図１３（ｂ）におけるハッチング部分）が敷設される。このシール部材３０は、エラストマーなどの弾性を有するシート材から作製されており、ヘッド配置部３４において、ヘッドユニット３の着座部が着座する位置に設けられている。そして、このシール部材３０は、図３、図４、及び図１４に示すように、ヘッドユニット２をキャリッジ３の収容空部４に収容・保持した状態においてヘッドユニット３の着座部とキャリッジ３のヘッド配置部３４との間をシールする。
【００３５】
そして、上記構成の記録ヘッド１では、ヘッド本体部を挿通開口部３７に挿通し、ヘッドユニット２側の止着穴２６とキャリッジ３側の止着ボス３８の位置を合わせた上で、ヘッドユニット２の着座部とヘッド配置部３４との間にシール部材３０を介在させた状態で着座部をヘッド配置部３４に着座させてヘッドユニット２を収容空部４に収容し、止着穴２６側から止着部材を挿通して止着ボス３８の雌ネジ部に螺合させることで、ヘッドユニット２をキャリッジ３に固定する。
【００３６】
ここで、止着部材を締め付けることで着座部とヘッド配置部３４とがシール部材３０の弾性力に抗しつつ相対的にさらに近接し、着座部とヘッド配置部３４との間でシール部材３０が圧縮されて着座部とヘッド配置部３４に密着することでこれらの間をシールする。この際、上述したように、着座部（フランジ部１６）とヘッド配置部３４にそれぞれ第１リブとして機能するヘッド側内周リブ２７及びキャリッジ側内周リブ４０を突設し、また、ヘッドユニット２の着座部においてこれらの第１リブよりも外側（囲繞壁２５の先端面）に第２リブとして機能するヘッド側外周リブ２８を突設しているので、これらの第１リブ及び第２リブがシール部材３０に圧接した状態となる。詳しくは、図１４に示すように、これらのリブ２７，２８，４０がシール部材３０の肉厚内に没入する。
【００３７】
これにより、シール部材３０による着座部とヘッド配置部３４との間のシールをより確実にすることができ、収容空部４の上部開口や挿通開口部３７からインクが入り込んだ場合においても着座部とヘッド配置部３４との間にインクが浸入することを効果的に防止することができる。そして、本実施形態においては、第１リブ（ヘッド側内周リブ２７及びキャリッジ側内周リブ４０）と第２リブ（ヘッド側外周リブ２８）との間の領域に、電子部品としてのコネクタ２２を配置しているので、コネクタ２２と回路基板１２の導通部２９にインクが接触することに起因するショート等の不具合を未然に防止することができる。また、上記構成の記録ヘッド１を搭載したプリンタでは、インクが着座部とヘッド配置部３４との間に浸入することによる不具合を防止することができるので、信頼性を向上することができる。
【００３８】
本実施形態においては、図１４に示すように、ヘッド側内周リブ２７及びキャリッジ側内周リブ４０を対向させて配置し、両リブ２７，４０によってシール部材３０を挟持させている。これにより、この部分におけるシール部材３０に対する当接圧を大きくすることができ、その結果、着座部とヘッド配置部３４との間のシールをより確実にすることができる。なお、必ずしも、ヘッド側内周リブ２７及びキャリッジ側内周リブ４０を対向配置しなくても良く、各リブの相対的な位置がずれていてもシール効果の向上を期待することができる。
【００３９】
また、各リブ２７，２８，４０は、断面視において基端側（根本側）から先端側に向けて細くなっている。換言すると、各リブ２７，２８，４０の厚みが基端側から先端に向けて薄くなっている。即ち、各リブ２７，２８，４０の先端部に尖鋭部が形成されている。このように各リブの先端を尖鋭にすることにより、シール部材３０に対して応力を集中させることができ、シール効果を一層高めることができる。
【００４０】
ところで、本発明は、上記した実施形態に限定されるものではなく、特許請求の範囲の記載に基づいて種々の変形が可能である。
【００４１】
上記第１実施形態においては、第２リブ（ヘッド側外周リブ２８）をヘッドユニット２の着座部側にのみ設けた構成を例示したが、これには限られない。キャリッジ３のヘッド配置部３４におけるキャリッジ側内周リブ４０よりも挿通開口部３７に対して外側の位置にも第２リブとしてキャリッジ側外周リブを突設することもできる。この構成の場合、キャリッジ側外周リブとヘッド側外周リブ２８とを、上記ヘッド側内周リブ２７及びキャリッジ側内周リブ４０のように対向配置することが望ましい。
また、ヘッド側内周リブ２７及びキャリッジ側内周リブ４０のうちの何れか一方のみを設けるようにしても良い。要は、挿通開口部３７を囲繞する第１リブを、着座部とヘッド配置部３４の少なくとも一方に突設し、第１リブよりも挿通開口部３７に対して離れて外側に位置する第２リブを、着座部とヘッド配置部３４の少なくとも一方に突設すれば良い。
【００４２】
そして、以上では、オフキャリッジタイプのプリンタに用いられる記録ヘッド１について本発明を適用する例を示したが、勿論、オンキャリッジタイプの記録ヘッドにも本発明を適用することができる。
【００４３】
また、以上では、本発明に係る液体噴射ヘッドとして、記録ヘッド１を例示したが、本発明は、ヘッドユニットをキャリッジに搭載する構成を採用する他の液体噴射ヘッド及びこれを備える液体噴射装置にも適用することができる。例えば、液晶ディスプレー等のカラーフィルタの製造に用いられる色材噴射ヘッド、有機ＥＬ（Electro Luminescence）ディスプレー、ＦＥＤ（面発光ディスプレー）等の電極形成に用いられる電極材噴射ヘッド、バイオチップ（生物化学素子）の製造に用いられる生体有機物噴射ヘッド等にも本発明を適用することができる。
【図面の簡単な説明】
【００４４】
【図１】記録ヘッドの上面図である。
【図２】記録ヘッドの下面図である。
【図３】図２におけるＡ−Ａ断面図である。
【図４】図２におけるＢ−Ｂ断面図である。
【図５】図２におけるＣ−Ｃ断面図である。
【図６】図２におけるＤ−Ｄ断面図である。
【図７】ヘッドユニットを先端面側から見た平面図である。
【図８】ヘッドユニットの断面図である。
【図９】図８における領域Ｂの拡大断面図である。
【図１０】キャリッジの平面図である。
【図１１】図１０におけるＡ−Ａ断面図である。
【図１２】図１１における領域Ｃの拡大断面図である。
【図１３】（ａ），（ｂ）はキャリッジの内部を説明する斜視図である。
【図１４】図３における領域Ａの拡大断面図である。
【００４５】
１…記録ヘッド，２…ヘッドユニット，３…キャリッジ，４…収容空部，７…ヘッドケース，８…自己封止ユニット，１２…回路基板，１５…ケース本体部，１６…フランジ部，１８…ノズル形成基板，１９…ノズル開口，２２…コネクタ，２５…囲繞壁，２７…ヘッド側内周リブ，２８…ヘッド側外周リブ，２９…導通部，３０…シール部材，３１…底板，３２…周壁，３４…ヘッド配置部，３７…挿通開口部，４０…キャリッジ側内周リブ
【図１】
2009190246.tif 000003
【図２】
2009190246.tif 000004
【図３】
2009190246.tif 000005
【図４】
2009190246.tif 000006
【図５】
2009190246.tif 000007
【図６】
2009190246.tif 000008
【図７】
2009190246.tif 000009
【図８】
2009190246.tif 000010
【図９】
2009190246.tif 000011
【図１０】
2009190246.tif 000012
【図１１】
2009190246.tif 000013
【図１２】
2009190246.tif 000014
【図１３】
2009190246.tif 000015
【図１４】
2009190246.tif 000016